(57)【特許請求の範囲】
【請求項１】
排紙部の上方向に位置し、前記排紙部にある被記録媒体の少なくとも一部を覆う開閉可能な被覆部と、
前記被覆部の開状態と閉状態とを検知する検知部と、
前記検知部が前記被覆部の開状態を検知すると、被記録媒体を前記排紙部に排紙する速度を遅くすること、及び、前記排紙部に先に排紙される被記録媒体と、前記排紙部に後に排紙される被記録媒体との間隔を広げることの少なくとも一方を行う低排紙処理、前記排紙部への被記録媒体の排紙を停止する停止処理、前記検知部が前記被覆部の開状態を検知する前の排紙部から異なる排紙部に排紙先を変更する変更処理、のうち１つの処理を実行する実行部と、
を備え、
前記実行部は、被記録媒体を前記排紙部に排紙する排紙処理も実行するものであり、
前記実行部は、
前記排紙部へ被記録媒体が排紙される前から前記検知部が前記被覆部の開状態を検知しているときは、前記検知部が前記被覆部の開状態を検知している状態で、前記１つの処理を実行せずに前記排紙処理を実行し、
前記排紙部へ被記録媒体が排紙されるまで前記検知部が前記被覆部の閉状態を検知し、且つ、前記排紙処理の実行中に前記検知部が前記被覆部の開状態を検知したときには前記１つの処理及び前記排紙処理を実行することを特徴とする画像形成装置。
【請求項２】
前記実行部は、前記１つの処理の実行中に前記検知部が前記被覆部の開状態を検知してから一定時間経過すると、前記１つの処理の実行を終了することを特徴とする請求項１に記載の画像形成装置。
【請求項３】
前記実行部は、前記１つの処理の実行中に前記検知部が前記被覆部の閉状態を検知すると、前記１つの処理の実行を終了することを特徴とする請求項１または請求項２に記載の画像形成装置。
【請求項４】
前記実行部は、前記１つの処理の実行中に前記排紙部に排紙された被記録媒体が取り除かれると、前記１つの処理の実行を終了することを特徴とする請求項１〜３のいずれかに記載の画像形成装置。
【請求項５】
前記実行部は、前記１つの処理として前記停止処理を実行するものであり、
前記実行部は、前記排紙部へ被記録媒体を排紙している印刷ジョブと、前記印刷ジョブの次の印刷ジョブとの間で、前記停止処理を実行することを特徴とする請求項１〜４のいずれかに記載の画像形成装置。
【請求項６】
前記検知部は、前記被覆部が上方向に移動したこと、及び、前記排紙部に備えられた錠付開閉部材の錠が開けられたこと、のうち少なくとも一つを検知することを特徴とする請求項１〜５のいずれかに記載の画像形成装置。
【発明の詳細な説明】
【技術分野】
【０００１】
本発明は、用紙に画像を形成する画像形成装置に関する。
【背景技術】
【０００２】
従来、プリンタ，コピー機，ＦＡＸ装置等の印刷機能を有する印刷装置では、印刷速度の向上が著しい。この印刷速度の高速化に伴って、連続印刷中に排紙先のトレイから印刷物を取り除き難い傾向にある。そこで、連続印刷中に、印刷物を取り除く機会を与える機会付与機能に関する技術が提案されている。
この機会付与機能に関する技術としては、例えば特許文献１に開示された印刷装置がある。この印刷装置には、排紙先のトレイを切り換える切換スイッチがあり、ユーザが切換スイッチを操作して排紙先を変更することで、ユーザに印刷物を取り除く機会を与えている。また，特許文献１では、一時停止スイッチによって装置を停止させる技術についても言及している。
【先行技術文献】
【特許文献】
【０００３】
【特許文献１】特開２００４−０５９２５８号公報
【発明の概要】
【発明が解決しようとする課題】
【０００４】
しかしながら、上記従来技術では、ボタン操作によって排紙先の変更や装置の一時停止を行うことで、印刷物の取り除き易さは向上するものの、ボタン操作できない状況にあるときは対応できなかった。
そこで、本発明は、ユーザが排紙トレイに排紙された被記録媒体を取り除くための操作に連動させて、ユーザが印刷物を取り除きやすくすることができる技術を提供する。
【課題を解決するための手段】
【０００５】
この目的を達成するために、本発明の画像形成装置は、排紙部の上方向に位置し、排紙部にある被記録媒体の少なくとも一部を覆う開閉可能な被覆部と、被覆部の開状態と閉状態とを検知する検知部と、検知部が被覆部の開状態を検知すると、被記録媒体を排紙部に排紙する速度を遅くすること、及び、排紙部に先に排紙される被記録媒体と、排紙部に後に排紙される被記録媒体との間隔を広げることの少なくとも一方を行う低排紙処理と、排紙部への被記録媒体の排紙を停止する停止処理と、検知部が被覆部の開状態を検知する前の排紙部から異なる排紙部に排紙先を変更する変更処理と、のうち１つの処理を実行する実行部と、を備えている。また、前記実行部は、被記録媒体を前記排紙部に排紙する排紙処理も実行するものであり、前記実行部は、前記排紙部へ被記録媒体が排紙される前から前記検知部が前記被覆部の開状態を検知しているときは、前記検知部が前記被覆部の開状態を検知している状態で、前記１つの処理を実行せずに前記排紙処理を実行し、前記排紙部へ被記録媒体が排紙されるまで前記検知部が前記被覆部の閉状態を検知し、且つ、前記排紙処理の実行中に前記検知部が前記被覆部の開状態を検知したときには前記１つの処理及び前記排紙処理を実行することを特徴とする画像形成装置。
【０００６】
また、実行部は、前記１つの処理の実行中に検知部が被覆部の開状態を検知してから一定時間経過すると、前記１つの処理の実行を終了するようにしてもよい。
【０００７】
また、実行部は、前記１つの処理の実行中に検知部が被覆部の閉状態を検知すると、前記１つの処理の実行を終了するようにしてもよい。
【０００８】
また、実行部は、前記１つの処理として前記停止処理を実行するものであり、実行部は、排紙部へ被記録媒体を排紙している印刷ジョブと、印刷ジョブの次の印刷ジョブとの間で、前記停止処理を実行するようにしてもよい。
【０００９】
また、実行部は、前記１つの処理の実行中に排紙部に排紙された被記録媒体が取り除かれると、前記１つの処理の実行を終了するようにしてもよい。
【００１１】
また、検知部は、被覆部が上方向に移動したこと、及び、排紙部に備えられた錠付開閉部材の鍵が開けられたこと、のうち少なくとも一つを検知するようにしてもよい。
【発明の効果】
【００１２】
本発明の画像形成装置によれば、排紙部の上方向に位置し、排紙部にある開閉可能な被記録媒体の少なくとも一部を覆う被覆部の開状態を検知すると、排紙部に被記録媒体を排紙する速度を遅くすること、または、先に排紙される被記録媒体と後に被記録媒体との排紙される間隔を広くすることのうち少なくとも１つを実行する低排紙処理と、排紙部への被記録媒体の排紙を停止する停止処理と、検知部が被覆部の開状態を検知する前の排紙部から異なる排紙部に排紙先を変更する変更処理と、のうち１つの処理を実行するようにした場合、ユーザは被記録媒体が排紙されている排紙部から被記録媒体を取る際に、ユーザの排紙部の上方向に位置する被服部の開閉操作と連動して、排紙された被記録媒体を取り除きやすくなり、ユーザの利便性が増す。また、排紙部へ被記録媒体が排紙される前から、検知部が被覆部の開状態を検知しているときは、処理を実行しないので、排紙部に被記録媒体を排紙するのを完了するまでに時間がかかることを防止することとなり、ユーザの利便性が増す。
【００１３】
また、被覆部の開状態を検知してから一定時間経過したら、処理の実行を終了するようにした場合、被覆部が開状態の間ずっと処理が実行されることを防ぐこととなり、ユーザの利便性を増す。
【００１４】
また、被覆部の閉状態を検知すると、処理の実行を終了するようにした場合、排紙部に被記録媒体を排紙するのを完了するまでにかかる時間が抑制されることとなり、ユーザの利便性が増す。
【００１５】
また、排紙部に排紙された被記録媒体が取り除かれると、処理の実行を終了するようにした場合、排紙部に被記録媒体を排紙するのを完了するまでにかかる時間がさらに抑制されることとなり、ユーザの利便性が増す。
【００１６】
また、印刷ジョブと印刷ジョブとの間で、排紙部へ被記録媒体を排紙させることを停止するようにした場合、排紙部に排紙された被記録媒体が取り除かれるまで次の印刷がされず、２つの印刷ジョブとが混在せずに済むこととなり、ユーザの利便性が増す。
【００１８】
また、検知部は、被覆部が上方向に移動したこと、及び、排紙部に備えられた錠付開閉部材の鍵が開けられたこと、のうち少なくとも一つを検知するので、ユーザが排紙部から被記録媒体を取り除くタイミングを的確に検知することとなり、ユーザの利便性が増す。
【図面の簡単な説明】
【００１９】
【図１】本発明の実施形態に係る複合電子写真装置の概略構成を示す図面である。
【図２】その複合電子写真装置で画像読取部を開いた状態を示す斜視図である。
【図３】その複合電子写真装置の電気的な構成を表すブロック図の図面である。
【図４】排紙制御処理の流れを示したフローチャートの図面である。
【図５】複数の排紙トレイを備えるその複合電子写真装置の概略構成を示す図面である。
【図６】第３の実施形態における排紙制御処理の流れを示したフローチャートの図面である。
【発明を実施するための形態】
【００２０】
（第１の実施形態）
この複合電子写真装置１００は、図１に示すように画像形成部１と、その画像形成部１の上方に設けられた画像読取部２（本発明の被覆部の一例）とから主に構成される。
【００２１】
画像形成部１は、下部に記録用紙Ｓを収納した給紙トレイ５が着脱可能に設置されている。この給紙トレイ５の上方には、給紙トレイ５から記録用紙Ｓを搬送するための給紙ローラ４、ベルト状感光体６と、そのベルト状感光体６を懸架して回転駆動する複数の懸架ローラ７と、１つの懸架ローラ７と対向して設けられた帯電器とが一体になった感光体ユニット９が着脱可能に設置されている。本実施形態では帯電器８が感光体ユニット９と一体になっているが、帯電器８を感光体９と別体にすることもできる。
【００２２】
帯電器８の近傍でベルト状感光体７と対向する位置に、レーザ光源（図示せず）などを内蔵した光学ユニット１０が設けられている。この光学ユニット１０の上方でベルト状感光体６の垂直部分と対向する位置に、例えば黒用トナーを内蔵した現像器１１、イエロー用トナーを内蔵した現像器１２、マゼンタ用トナーを内蔵した現像器１３、シアン用トナーを内蔵した現像器１４が積層状に配置されている。
【００２３】
ベルト状感光体６と近接して中間転写ベルト１５が設けられ、中間転写ベルト１５は転写器１６と対向している。転写器１６の上方には定着器１７が配置され、定着器１７の斜め上方に排紙ローラ１８が設けられ、排紙ローラ１８の下方には画像を形成した記録用紙Ｓを排紙してストックする排紙トレイ１９が設けられている。この排紙トレイ１９は画像形成部１のケーシングの一部で構成されている。
【００２４】
画像形成部１は前述のような構成になっており、画像読取部２で光学的に読み取られた画像信号もしくはＰＣ等の外部装置から取り込んだ電子データに基づいて、周知の帯電―露光―現像―転写―定着の電子写真プロセスによって記録用紙Ｓ上に画像が形成される。
【００２５】
画像形成部１の上部で排紙トレイ１９から離れた位置に、画像読取部２を開閉可能に支持する開閉支持部２０が設けられている。この開閉支持部２０は支持軸と軸受けとからなり、この開閉支持部２０を中心にして画像読取部２は画像形成部１に対して矢印Ａ方向（図１参照）に開閉する。
【００２６】
また、画像形成部１の上部にはアーム支持部２１が設けられ、アーム支持部２１にはアーム２２の基端部が回動可能に支持されている。
【００２７】
一方、画像読取部２の下面には、直線状に延びた溝を有するガイド部材２５が取り付けられ、そのガイド部材２５の溝内にアーム２２の先端部に設けられた円柱部２４がスライド可能に挿入されている。アーム２２とガイド部材２５の対は、画像形成部１の両側に設置されており、アーム２２とガイド部材２５の共働により、図２に示すように画像読取部２を完全に開いた状態（本発明の開状態の一例）で保持される。
【００２８】
図２は、排紙トレイ１９から記録用紙４を取り除くときの状態を示している。同図に示すように画像読取部２を所定の位置まで開くと、それに連動してアーム２２も回動して起立状態となり、画像読取部２の完全に開いた状態が保持される。
【００２９】
また、画像読取部２上に載置されて原稿を１枚ずつ画像読取部２側に送る自動原稿送り部３が設けられている。
【００３０】
（複合機の電気的構成）
図３は、本実施形態に係る複合電子写真装置１００の電気的構成を表すブロック図である。複合電子写真装置１００は、ＣＰＵ５０（本発明の検知部、実行部の一例）、各種メモリ領域を備えるＲＡＭ５１、各種プログラムを記憶するＲＯＭ５２、通信ネットワークに接続されて外部装置との間でデータの送受信をする通信インタフェース（通信Ｉ／Ｆ）５５、ＦＡＸ部５６、排紙センサ５７、開閉センサ５８、画像形成部１、画像読取部２、操作面３５を備えて構成される。
【００３１】
ＲＡＭ５１は、画像読取部２により読み取られた画像データ、モードフラグ、指定枚数Ｍ、排紙枚数Ｎ、タイマカウンタ等を記憶する。また、ＦＡＸ部５６は、公衆電話回線を通じて画像データを送受信する。
【００３２】
（低排紙処理）
排紙処理には、通常の排紙処理と、通常の排紙処理の排紙能力を低下させた低排紙処理の２種類のモードがあり、ＣＰＵ５０は、低排紙処理を実行する場合、ＲＡＭ５１に記憶されているモードフラグを参照して、通常の排紙処理か低排紙処理かを判別する。例えば、ＣＰＵ５０は、通常の排紙処理を実行するときは、ＲＡＭ５１のモードフラグに「０」を記憶させており、低排紙処理を実行するときは、ＲＡＭ５１のモードフラグに「１」を記憶させている。
【００３３】
低排紙処理は、ＣＰＵ５０がＲＡＭ５１のモードフラグに「１」が記憶されていると判断することにより実行される。具体的には、２つの方法があり、１つ目の方法として、ＣＰＵ５０は、排紙ローラ１８を回転させる駆動モータ（不図示）の回転速度を低下させ、例えば、排紙トレイ１９に記録用紙Ｓが排紙される速度を落とすことで、排紙トレイ１９に記録用紙Ｓを排紙する能力を低下させる。
【００３４】
尚、排紙トレイ１９に記録用紙Ｓが排紙される速度を落とすときは、画像形成部１において記録用紙Ｓに画像を形成する速度も同様に落とすとよい。これにより、転写器１６と排紙ローラ１８との間において、排紙トレイ１９に記録用紙Ｓが排紙される速度と、画像形成部１において記録用紙Ｓに画像を形成する速度とが異なることによるジャムを防止することができる。
【００３５】
次に、２つ目の方法として、ＣＰＵ５０は、給紙トレイ５の上方に位置する給紙ローラ６が記録用紙Ｓを給紙トレイ５から搬送する時間の間隔を長くすることにより、排紙トレイ１９に先に排紙される記録用紙Ｓと後に排紙される記録用紙Ｓとの距離間隔を広げ、排紙トレイ１９に記録用紙Ｓを排紙する能力を低下させる。尚、１つ目の方法と２つ目の方法とを別個に実行する低排紙処理でも、１つ目の方法と２つ目の方法とを同時に実行する低排紙処理であってもよい。
【００３６】
（停止処理）
停止処理はＣＰＵ５０が排紙トレイ１９等に記録用紙Ｓを排紙させないように排紙ローラ１８を停止させる処理であり、低排紙処理と同様に、モードフラグが「１」の場合、停止処理が実行される。
【００３７】
（排紙制御処理）
図４は本発明の排紙制御処理の流れを示したフローチャートである。本発明の排紙制御処理について図４を参照しながら説明する。尚、ＣＰＵ５０は、操作面３５等から入力される印刷をスタートするボタンが押下されたことを契機に、ＲＯＭ５２に記憶されている排紙制御処理のプログラムを実行する。
【００３８】
まず、ＣＰＵ５０は、データ処理を実行する（Ｓ１０１）。具体的には、受信した印刷指令から排紙トレイ１９に排紙される記録用紙Ｓの枚数を、指定枚数ＭとしてＲＡＭ５１に記憶する。また、ＣＰＵ５０は、ＲＡＭ５１に記憶されている排紙モードを判別するためのモードフラグに「０」を記憶させる。
【００３９】
次に、ＣＰＵ５０は、低排紙処理、又は、停止処理のいずれかを実行中であるか判断し（Ｓ１０２）、低排紙処理、又は、停止処理のいずれも実行中でないと判断した場合（Ｓ１０２：ＮＯ）、続いて、画像読取部２が開状態か判断する（Ｓ１０３）。画像読取部２が開状態である場合には（Ｓ１０３：ＹＥＳ）、低排紙処理、停止処理のいずれかを実行し（Ｓ１０４）、ＲＡＭ５１に記憶されているタイマカウンタを用いてタイマー計測を開始する（Ｓ１０５）。
【００４０】
具体的には、ＣＰＵ５０は、排紙トレイ１９に記録用紙Ｓがあるときに、画像読取部２が持ち上げられ、図２に示すように、開いた状態（本発明の開状態の一例）で保持されることを開閉センサ５８で検出した場合、モードフラグを「０」から「１」に書き換え、ＲＡＭ５１に記憶させるとともに、ＲＡＭ５１に記憶されているタイマカウンタを用いてタイマー計測を開始する。
【００４１】
次に、ＣＰＵ５０は、低排紙処理、又は、停止処理のいずれかを実行中であると判断した場合（Ｓ１０２：ＹＥＳ）、またはタイマー計測を開始した（Ｓ１０５）後に続いて、排紙トレイ１９に排紙された記録用紙Ｓが排紙トレイ１９から取り除かれたか判断する（Ｓ１０６）。記録用紙Ｓが排紙トレイ１９から取り除かれたと判断した場合（Ｓ１０６：ＹＥＳ）、低排紙処理、又は、停止処理のうち実行中の処理の実行を解除する（Ｓ１０９）。
【００４２】
一方、記録用紙Ｓが排紙トレイ１９から取り除かれていないと判断した場合（Ｓ１０６：ＮＯ）、画像読取部２が閉状態か判断する（Ｓ１０７）。画像読取部２が閉状態である場合（Ｓ１０７：ＹＥＳ）、Ｓ１０９に進み、画像読取部２が閉状態でない場合（Ｓ１０７：ＮＯ）、タイマー計測を開始してから所定時間を経過したか判断する（Ｓ１０８）。
【００４３】
具体的には、ＣＰＵ５０は、持ち上げられた画像読取部２が閉じた状態（本発明の閉状態の一例）であることを開閉センサ５８で検出した場合、モードフラグを「１」から「０」に書き換え、ＲＡＭ５１に記憶する。
【００４４】
Ｓ１０８において、タイマー計測を開始してから所定時間を経過したと判断する場合（Ｓ１０８：ＹＥＳ）、Ｓ１０９に進み、タイマー計測を開始してから所定時間を経過していないと判断する場合（Ｓ１０８：ＮＯ）、Ｓ１１０に進む。
【００４５】
具体的には、ＣＰＵ５０は、排紙トレイ１９に排紙センサ５７が備えられており、排紙センサ５７が排紙トレイ１９から記録用紙Ｓが取り除かれたことを検知した場合、また、ＣＰＵ５０は、タイマー計測を開始してから所定時間を経過した場合、モードフラグを「１」から「０」に書き換え、ＲＡＭ５１に記憶する。
【００４６】
次に、画像読取部２が開状態でない場合（Ｓ１０３：ＮＯ）、タイマー計測を開始してから所定時間を経過していないと判断する場合（Ｓ１０８：ＮＯ）、及び、低排紙処理、又は、停止処理のうち実行中の処理の実行を解除した場合（Ｓ１０９）に続いて、ＣＰＵ５０は、記録用紙Ｓが排紙トレイ１９に１枚排紙されたか判断する（Ｓ１１０）。記録用紙Ｓを排紙トレイ１９に１枚排紙した場合（Ｓ１１０：ＹＥＳ）、記録用紙Ｓを排紙トレイ１９に全枚数排紙したか判断し（Ｓ１１１）、記録用紙Ｓを排紙トレイ１９に全枚数排紙した場合（Ｓ１１１：ＹＥＳ）、排紙制御処理を終了する。
【００４７】
具体的には、Ｓ１１０において、ＣＰＵ５０は、公知のセンサにより排紙トレイ１９に記録用紙Ｓが排紙されたことを検知した場合、排紙枚数Ｎに１加算してＲＡＭ５１に記憶する。また、給紙トレイ５から記録用紙Ｓの搬送を始めてから排紙トレイ１９に排紙されるまでの所定の時間が経過した場合にも同様にする。
【００４８】
また、記録用紙Ｓを排紙トレイ１９に全枚数排紙したかの判断は（Ｓ１１１）、ＲＡＭ５１に記憶されている指定枚数Ｍと、排紙枚数Ｎとを比較して、指定枚数Ｍと排紙枚数Ｎとが一致したときに、記録用紙Ｓを排紙トレイ１９に全枚数排紙したと判断する（Ｓ１１１：ＹＥＳ）。
【００４９】
一方、ＣＰＵ５０は、記録用紙Ｓが排紙トレイ１９に１枚排紙されていない場合（Ｓ１１０：ＮＯ）、指定枚数Ｍと排紙枚数Ｎとが一致せず、記録用紙Ｓが排紙トレイ１９に全枚数排紙されていないと判断した場合（Ｓ１１１：ＮＯ）、Ｓ１０２に戻る。
【００５０】
（第１の実施形態の効果）
本発明の画像形成装置によれば、ＣＰＵ５０は、排紙トレイ１９の上方向に位置し、排紙部にある被記録媒体の少なくとも一部を覆う画像読取部２の開状態を検知すると、排紙トレイ１９に記録用紙Ｓを排紙する速度を遅くすること、または、先に排紙される記録用紙Ｓと後に記録用紙Ｓとの排紙される間隔を広くすることのうち少なくとも１つを行う低排紙処理と、排紙トレイ１９への記録用紙Ｓの排紙を停止する停止処理と、のいずれか１つの処理を実行するので、ユーザは記録用紙Ｓが排紙されている排紙トレイ１９から記録用紙Ｓを取る際に、ユーザの排紙トレイ１９の上方向に位置するカバーの開閉操作と連動して、排紙された記録用紙Ｓを取り除きやすくなり、ユーザの利便性が増す。
【００５１】
また、ＣＰＵ５０は、画像読取部２の開状態を検知してから一定時間経過したら、処理の実行を終了するので、画像読取部２が開状態の間ずっと処理が実行されることを防ぐこととなり、ユーザの利便性を増す。
【００５２】
また、ＣＰＵ５０は、画像読取部２の閉状態を検知すると、処理の実行を終了するので、排紙トレイ１９に記録用紙Ｓを排紙するのを完了するまでにかかる時間が抑制されることとなり、ユーザの利便性が増す。
【００５３】
また、ＣＰＵ５０は、排紙トレイ１９に排紙された記録用紙Ｓが取り除かれると、処理の実行を終了するので、排紙トレイ１９に記録用紙Ｓを排紙するのを完了するまでにかかる時間がさらに抑制されることとなり、ユーザの利便性が増す。
【００５４】
また、ＣＰＵ５０は、排紙トレイ１９へ記録用紙Ｓが排紙される前から、検知部が画像読取部２の開状態を検知しているときは、処理を実行しないので、排紙トレイ１９に記録用紙Ｓを排紙するのを完了するまでに時間がかかることを防止することとなり、ユーザの利便性が増す。
【００５５】
（第２の実施形態）
複合電子写真装置２００内には、図５に示すように、印刷済みの記録用紙Ｓを増設排紙トレイ部２６に搬入し、所定の排紙先に導かれるように、搬送路２７が設けられている。具体的には、増設排紙部２６に搬入された用紙は、排紙ローラ７６５を介して排紙トレイ９６５に導かれる。他にも、排紙ローラ７６１〜７６４を介して、各々の排紙ローラと対になる排紙トレイ９６１〜９６４（本発明の被覆部の一例）にそれぞれ導かれる。
【００５６】
排紙トレイ９６１〜９６５は、矢印Ｂ方向（図５参照）に回動し、排紙トレイ９６１〜９６５のそれぞれの回動を、開閉センサ（不図示）が検知する。また、排紙トレイ９６５は、記録用紙Ｓが無断で取られないように錠付カバー９７（本発明の被覆部、錠付開閉部材の一例）が装着されており、鍵を開けることにより、錠付カバー部材９７が矢印Ｃ方向（図５参照）に開閉することができる。また、錠付カバー部材９７の鍵の開閉を、開閉センサ（不図示）が検知し、錠付カバー部材９７の開閉を、別の開閉センサ（不図示）が検知する。
【００５７】
（変更処理）
変更処理は記録用紙Ｓが排紙されている排紙トレイ１９等から、記録用紙Ｓが排紙されていない排紙トレイ１９等へ、排紙先の排紙トレイ１９等を変更する処理である。例えば、ＣＰＵ５０は、変更処理を実行しないときは、ＲＡＭ５１のモードフラグに「０」を記憶させており、変更処理を実行するときは、ＲＡＭ５１のモードフラグに「１」を記憶させている。
【００５８】
第２の実施形態の排紙制御処理について図４を参照しながら、第１の実施形態と同様の部分については、適宜省略しながら説明する。尚、図４のＳ１０２の「低排紙処理等実行中？」は「変更処理実行中？」と読み替えるものとする。
【００５９】
Ｓ１０３において、具体的には、錠付カバー９７の装着された排紙トレイ９６５の錠付カバー９７の鍵が開いた状態（本発明の開状態の一例）であることを開閉センサで検出した場合、錠付カバー９７を矢印Ｂの上方向に動かしたこと（本発明の開状態の一例）を開閉センサで検出した場合、及び、ユーザが排紙トレイ９６１にある記録用紙Ｓを取り除こうとして、排紙トレイ９６１の直上にある排紙トレイ９６２を矢印Ｂの上方向に動かしたこと（本発明の開状態の一例）を開閉センサで検出した場合に、モードフラグを「０」から「１」に書き換え、ＲＡＭ５１に記憶させる。
【００６０】
例えば、ＣＰＵ５０は、排紙トレイ９６１の直上にある排紙トレイ９６２を矢印Ｂの上方向に動かしたことを、開閉センサが開状態を検知したことにより検出して、モードフラグが「１」の場合、既知の排紙先を切り換える切換え機構により、記録用紙Ｓの排紙先を排紙トレイ９６１から、矢印Ｂの上方向に回動させられている排紙トレイ９６２以外の排紙トレイ９６３〜９６５のいずれかに変更する。例えば、排紙先を排紙トレイ９６３に変更する。
【００６１】
Ｓ１０７において、具体的には、ＣＰＵ５０は、錠付カバー９７の装着された排紙トレイ９６５の錠付カバー９７の鍵が閉じた状態（本発明の閉状態の一例）を開閉センサで検出した場合、開状態の錠付カバー９７を矢印Ｂの下方向に動かしたこと（本発明の閉状態の一例）を開閉センサで検出した場合、及び、ユーザが排紙トレイ９６１にある記録用紙Ｓを取り除こうとして、排紙トレイ９６１の直上にある開状態の排紙トレイ９６２を矢印Ｂの下方向に動かして元の位置に戻したこと（本発明の開状態の一例）を開閉センサで検出した場合に、モードフラグを「１」から「０」に書き換え、ＲＡＭ５１に記憶する。
【００６２】
例えば、ＣＰＵ５０は、矢印Ｂの上方向に回動された排紙トレイ９６２が、矢印Ｂの下方向に回動されたことを、開閉センサ５８２が閉状態を検知したことにより検出して、記録用紙Ｓの排紙先を排紙トレイ９６３から排紙トレイ９６１に戻す。これにより、ユーザは、変更処理後に排紙トレイ９６１に排紙された記録用紙Ｓが変更処理前の排紙トレイ９６１に排紙された記録用紙Ｓと同じ印刷ジョブであることが認識しやすくなり、ユーザの利便性が増す。
【００６３】
（第２の実施形態の効果）
ＣＰＵ５０は、錠付カバー部材９７の装着された排紙トレイ９６５の錠付カバー部材９７が開いた状態であること、錠付カバー部材９７の鍵が開いた状態であること、及び、排紙トレイ９６１〜９６４の直上にある排紙トレイが上方向に動かされたことのうち少なくとも１つを検知すると、検知部が検知する前の排紙トレイ９６２〜９６５から異なる排紙トレイ９６２〜９６５に排紙先を変更する変更処理を実行するので、ユーザは記録用紙Ｓが排紙されている排紙トレイ９６２〜９６５から、排紙された記録用紙Ｓを取り除きやすくなり、ユーザの利便性が増す。
【００６４】
また、ＣＰＵ５０は、錠付カバー部材９７の装着された排紙トレイ９６５の錠付カバー部材９７が開いた状態であること、錠付カバー部材９７の鍵が開いた状態であること、及び、排紙トレイ９６１〜９６４の直上にある排紙トレイを上方向に動かされたことのうち少なくとも１つの開状態を検知してから一定時間経過したら、変更処理の実行を終了するので、錠付カバー部材９７の装着された排紙トレイ９６５の錠付カバー部材９７開いた状態であること、錠付カバー部材９７の鍵が開いた状態であること、及び、排紙トレイ９６１〜９６４の直上にある排紙トレイを上方向に動かされたことのうち少なくとも１つが開状態の間ずっと処理が実行されることを防ぐこととなり、ユーザの利便性を増す。
【００６５】
また、ＣＰＵ５０は、錠付カバー部材９７の装着された排紙トレイ９６５の錠付カバー部材９７が閉じた状態であること、錠付カバー部材９７の鍵が閉めた状態であること、及び、排紙トレイ９６１〜９６４の直上にある排紙トレイが下方向に動かされたことのうち少なくとも１つの閉状態を検知すると、変更処理の実行を終了するので、排紙トレイ９６１〜９６５に記録用紙Ｓを排紙するのを完了するまでにかかる時間が抑制されることとなり、ユーザの利便性が増す。
【００６６】
また、ＣＰＵ５０は、排紙トレイ９６１〜９６５に排紙された記録用紙Ｓが取り除かれると、変更処理の実行を終了するので、排紙トレイ９６１〜９６５に記録用紙Ｓを排紙するのを完了するまでにかかる時間がさらに抑制されることとなり、ユーザの利便性が増す。
【００６７】
また、ＣＰＵ５０は、排紙トレイ９６１〜９６５へ記録用紙Ｓが排紙される前から、錠付カバー部材９７の装着された排紙トレイ９６５の錠付カバー部材９７開いた状態であること、錠付カバー部材９７の鍵が開いた状態であること、及び、排紙トレイ９６１〜９６４の直上にある排紙トレイを上方向に動かされたことのうち少なくとも１つの開状態を検知しているときは、変更処理を実行しないので、排紙トレイ９６１〜９６５に記録用紙Ｓを排紙するのを完了するまでに時間がかかることを防止することとなり、ユーザの利便性が増す。
【００６８】
また、ＣＰＵ５０は、錠付カバー部材９７の装着された排紙トレイ９６５の錠付カバー部材９７開いた状態であること、錠付カバー部材９７の鍵が開いた状態であること、及び、排紙トレイ９６１〜９６４の直上にある排紙トレイを上方向に動かされたことのうち少なくとも１つの開状態を検知するので、ユーザが排紙トレイ１９から記録用紙Ｓを取り除くタイミングを的確に検知することとなり、ユーザの利便性が増す。
【００６９】
（第３の実施形態）
第３の実施形態では、第１の実施形態と比べて、さらにＲＡＭ５１にジョブフラグが記憶されている。ＣＰＵ５０は、一つの印刷ジョブが終了するごとに、ジョブフラグを「０」から「１」に書き換える。そして、例えば、ＣＰＵ５０は、ジョブフラグ「１」のときに排紙センサ５７によって、排紙トレイ１９から記録用紙Ｓが取り除かれたと判断した場合、ジョブフラグを「１」から「０」に書き換える。
【００７０】
（停止処理）
停止処理は、ＣＰＵ５０が排紙トレイ１９等に記録用紙Ｓを排紙させないように排紙ローラ１８、排紙ローラ７６１〜７６５を停止させる処理である。例えば、ＣＰＵ５０は、ＲＡＭ５１のモードフラグに「０」を記憶させているか、又はＲＡＭ５１のジョブフラグに「０」を記憶させているときは、停止処理を実行しない。一方、ＲＡＭ５１のモードフラグに「１」を記憶させており、かつ、ＲＡＭ５１のジョブフラグに「１」が記憶させているときは、停止処理を実行する。
【００７１】
第３の実施形態の排紙制御処理について図６を参照しながら、第１の実施形態と第２の実施形態と同様の部分については、適宜省略しながら説明する。
【００７２】
Ｓ２０１において、ＣＰＵ５０は、停止処理実行中か判断し（Ｓ２０１）、停止処理実行中の場合（Ｓ２０１：ＹＥＳ）、Ｓ１０６に進み、停止処理実行中でない場合（Ｓ２０１：ＮＯ）、Ｓ１０３に進む。
【００７３】
Ｓ１０３において、ＣＰＵ５０は、画像読取部２が開状態である場合（Ｓ１０３：ＹＥＳ）、１つの印刷ジョブの画像形成が終了したか判断する（Ｓ２０２）。
【００７４】
Ｓ２０３において、ＣＰＵ５０は、１つの印刷ジョブの画像形成が終了したか判断する場合（Ｓ２０２：ＹＥＳ）、停止処理を実行する（Ｓ２０３）。一方、ＣＰＵ５０は、１つの印刷ジョブの画像形成が終了していないと判断する場合（Ｓ２０２：ＮＯ）、Ｓ１１０に進む。具体的には、ＣＰＵ５０は、１つの印刷ジョブの画像形成が終了したか判断する場合（Ｓ２０２：ＹＥＳ）、ジョブフラグを「０」から「１」に書き換え、１つの印刷ジョブの画像形成が終了していないと判断する場合（Ｓ２０２：ＮＯ）、ジョブフラグを「１」から「０」に書き換える。
【００７５】
また、モードフラグに「１」が記憶されているのときに、ジョブフラグに「１」が記憶されていると、停止処理を実行する。一方、ＣＰＵ５０は、モードフラグに「１」が記憶されているときであっても、ジョブフラグに「０」が記憶されていると、停止処理を実行しない。
【００７６】
Ｓ２０１、Ｓ２０３に続いて、ＣＰＵ５０は、記録用紙Ｓが排紙トレイ１９から取り除かれたか判断し（Ｓ１０６）、記録用紙Ｓが排紙トレイ１９から取り除かれたと判断した場合（Ｓ１０６：ＹＥＳ）、停止処理の実行を解除して（Ｓ２０４）、Ｓ２０５に進む。一方、記録用紙Ｓが排紙トレイ１９から取り除かれていないと判断した場合（Ｓ１０６：ＮＯ）、Ｓ２０５に進む。
【００７７】
Ｓ２０５において、全ての印刷ジョブについて画像形成が終了したか判断する。全ての印刷ジョブについて画像形成が終了したと判断した場合（Ｓ２０５：ＹＥＳ）、処理を終了し、全ての印刷ジョブについて画像形成が終了していないと判断した場合（Ｓ２０５：ＮＯ）、Ｓ２０１に戻る。
【００７８】
（第３の実施形態の効果）
ＣＰＵ５０は、印刷ジョブと印刷ジョブとの間で、排紙トレイ１９及び排紙トレイ９６１〜９６５の少なくとも１つへ記録用紙Ｓを排紙させることを停止するので、２つの印刷ジョブが混在せずに済むこととなり、ユーザの利便性が増す。
【００７９】
（その他の実施形態）
（１）本発明の実施形態では、レーザプリンタと読取装置とが複合された複合電子写真装置の場合について説明したが、本発明はこれに限定されるものではなく、例えば複写機、インクジェットプリンタ、ＬＥＤプリンタ、ファクシミリ装置、印刷機あるいは他の機能を複合した複合機などの各種の画像形成装置に適用することが可能である。
（２）第２の実施形態では、ＣＰＵ５０は、既知の排紙先を切り換える機構により、記録用紙Ｓの排紙先を排紙トレイ９６１から、矢印Ｂの上方向に回動させられている排紙トレイ９６２以外の排紙トレイ９６３〜９６５のいずれかに変更する実施形態であったが、下記の３つの実施形態のいずれかのようにしてもよい。
１つ目は、変更した排紙トレイ９６３〜９６５のうちのいずれかの排紙トレイは、記録用紙Ｓの排紙されていない排紙トレイである実施形態であってもよい。これにより、既に記録用紙Ｓの排紙されている排紙トレイには記録用紙Ｓが排紙されないので、２つの印刷ジョブが混在せずに済むこととなり、ユーザの利便性が増す。
２つ目は、変更した排紙トレイ９６３〜９６５のうちのいずれかの排紙トレイは、矢印Ｂの上方向に回動させられている排紙トレイ９６２から一番離れている排紙トレイ９６５である実施形態であってもよい。これにより、ユーザの排紙トレイ９６１から記録用紙Ｓの取り出し作業に、記録用紙Ｓの排紙がユーザに与える影響が小さくなり、ユーザの利便性が増す。
３つ目は、変更した排紙トレイは、ユーザが記録用紙Ｓの取り出し作業をしている排紙トレイ９６１よりも低い位置にある排紙トレイ１９に排紙される実施形態であってもよい。これにより、ユーザの排紙トレイ９６１から記録用紙Ｓの取り出し作業中に、ユーザの目の高さに近い排紙トレイに記録用紙Ｓの排紙先が変更されることがないので、記録用紙Ｓの排紙がユーザに与える影響が小さくなり、ユーザの利便性が増す。
（３）第２の実施形態では、ＣＰＵ５０は、錠付カバー部材９７の装着された排紙トレイ９６５の錠付カバー部材９７が開いた状態であること、錠付カバー部材９７の鍵が開いた状態であること、及び、排紙トレイ９６１〜９６４の直上にある排紙トレイが上方向に動かされたことのうち少なくとも１つを検知すると、変更処理を実行する実施形態であったが、下記の２つの実施形態のようにしてもよい。
１つ目は、変更処理の変わりに、排紙トレイ９６２〜９６５に記録用紙Ｓを排紙する速度が遅くなるか、または、先に排紙される記録用紙Ｓと後に記録用紙Ｓとの排紙される間隔を利用しやすくなる低排紙処理を実行する実施形態であってもよい。
２つ目は、変更処理の変わりに、排紙トレイ９６２〜９６５への記録用紙Ｓの排紙を停止する停止処理を実行する実施形態であってもよい。
（４）第３の実施形態にでは、Ｓ１０３において、ＣＰＵ５０は、画像読取部２が開状態である場合（Ｓ１０３：ＹＥＳ）、１つの印刷ジョブの画像形成が終了したか判断する（Ｓ２０２）実施形態であったが、錠付カバー部材９７の装着された排紙トレイ９６５の錠付カバー部材９７が開いた状態である場合に、開状態にある（Ｓ１０３：ＹＥＳ）と判断する実施形態であってもよい。また、錠付カバー部材９７の鍵が開いた状態である場合や、排紙トレイ９６１〜９６４の直上にある排紙トレイを上方向に動かされた場合に、開状態にある（Ｓ１０３：ＹＥＳ）と判断してもよい。
【符号の説明】
【００８０】
１      画像形成部
２      画像読取部
４      給紙ローラ
１８    排紙ローラ
１９    排紙トレイ
２６    増設排紙トレイ部
３５    操作面
９７    錠付カバー部材
１００  複合電子写真装置
Ｓ      記録用紙
【図１】
0005533445.tif 000002
【図２】
0005533445.tif 000003
【図３】
0005533445.tif 000004
【図４】
0005533445.tif 000005
【図５】
0005533445.tif 000006
【図６】
0005533445.tif 000007